(57)【要約】【課題】手元操作管あるいは延長管に設けるブラシの掃除を容易かつ衛生的にできる電気掃除機を提供する。【解決手段】本電気掃除機は、集塵室と吸込口体を連通する吸込管路に設けたブラシと吸込口体を選択的に用いて、吸込管路を集塵室側管と吸込口体側管に分離可能にし、集塵室側管の端部にブラシを設けかつ、吸込口体側管の端部にブラシに当接するブラシ清掃用ブラシを設け、ブラシあるいはブラシ清掃用ブラシを回転可能にし、適宜回転可能側のブラシを回転させ、ブラシ清掃用ブラシによりブラシに付着した糸くず等を除去する。【選択図】  図１
2009189620.tif 000002
【特許請求の範囲】
【請求項１】
集塵室と吸込口体間に設ける吸込管路の中間部間にブラシを設け、このブラシと前記吸込口体を選択的に用いて掃除を行う電気掃除機において、
前記吸込管路を前記集塵室側管と前記吸込口体側管に分離可能にし、
前記集塵室側管の端部に前記ブラシを設けかつ、前記吸込口体側管の端部に前記ブラシに当接するブラシ清掃用ブラシを設け、
前記ブラシあるいは前記ブラシ清掃用ブラシを回転可能にし、適宜回転可能側のブラシを回転させ、前記ブラシ清掃用ブラシにより前記ブラシに付着した糸くず等を除去することを特徴とする電気掃除機。
【請求項２】
前記ブラシ及びブラシ清掃用ブラシを吸込管路の通風路内に設けることを特徴とする請求項１に記載の電気掃除機。
【請求項３】
前記ブラシ清掃用ブラシによる前記ブラシの掃除時、これら両ブラシの当接部分の内側に前記吸込管路の通風路に連通する廃棄孔を設け、この廃棄孔を介して前記ブラシ清掃用ブラシにより除去された糸くず等を前記吸込管路内に吸引することを特徴とする請求項１に記載の電気掃除機。
【発明の詳細な説明】
【技術分野】
【０００１】
本発明は電気掃除機に係り、特に吸込管路に設けるブラシの清掃を可能にした電気掃除機に関する
【背景技術】
【０００２】
従来の電気掃除機には、集塵室を備えた掃除機本体に集塵ホースを接続し、この集塵ホースの自由端部に手元操作管を接続し、この手元操作管の先端部に延長管を介して大型の主吸込口体（掃除具）を接続し、さらに、手元操作管の先端部にリング状に毛ブラシを植え込んだ掃除環を設け、家具、建具など細かい部分を掃除する際には、主吸込口体を外して、毛ブラシを用いるものがある（例えば、特許文献１参照）。
【０００３】
しかし、特許文献１に記載の電気掃除機は、掃除環が毛ブラシをリング状に植え込んでいるため、毛ブラシに糸くずやごみが絡み付き易いとともに、この絡み付いた糸くず等の除去が困難であり、また、毛ブラシは、ホースの外周に常時露出されているので、絡み付いた糸くず等が目に付き易くなり、外観や衛生面で問題があり、さらに、糸くず等の除去には、電気掃除機とは別個の掃除用ブラシなどを用いる必要があり、ブラシ掃除作業が面倒であった。
【０００４】
そこで、ブラシ台に毛ブラシを半円状に植え設込み、毛ブラシがない開放部位を設け、糸くず等を絡み付きにくくするとともに、絡み付いた糸くず等を開放部位から指先を入れて取り除く電気掃除機が提案されている（例えば、特許文献２参照）。
【０００５】
しかし、特許文献２に記載の電気掃除機は、ブラシ台に開放部位を設けているため、毛ブラシが部分的であるので細かい部分の掃除が不十分であり、また、開放部位から指先を入れて糸くず等を取り除くので、不衛生であった。
【特許文献１】特開昭５６−４３９２１号公報
【特許文献２】実開平６−４６６５１号公報
【発明の開示】
【発明が解決しようとする課題】
【０００６】
本発明は上述した事情を考慮してなされたもので、吸込管路に設けるブラシの掃除を容易かつ衛生的にできる電気掃除機を提供することを目的とする。
【課題を解決するための手段】
【０００７】
上述した目的を達成するため、本発明に係る電気掃除機は、集塵室と吸込口体間に設ける吸込管路の中間部間にブラシを設け、このブラシと前記吸込口体を選択的に用いて掃除を行う電気掃除機において、前記吸込管路を前記集塵室側管と前記吸込口体側管に分離可能にし、前記集塵室側管の端部に前記ブラシを設けかつ、前記吸込口体側管の端部に前記ブラシに当接するブラシ清掃用ブラシを設け、前記ブラシあるいは前記ブラシ清掃用ブラシを回転可能にし、適宜回転可能側のブラシを回転させ、前記ブラシ清掃用ブラシにより前記ブラシに付着した糸くず等を除去することを特徴とする。
【発明の効果】
【０００８】
本発明の電気掃除機によれば、手元操作管あるいは延長管に設けるブラシの掃除を容易かつ衛生的にできる電気掃除機を提供することができる。
【発明を実施するための最良の形態】
【０００９】
［第１実施形態］
本発明の第１実施形態に係る電気掃除機について図面を参照して説明する。
【００１０】
図１は本発明の第１実施形態に係る電気掃除機の斜視図である。
【００１１】
図１に示すように、本第１実施形態の電気掃除機１はキャニスタ型で、掃除機本体２を備え、この掃除機本体２には、その前部に設けられた集塵室３、この集塵室３内に配設された集塵ユニット４、掃除機本体２の後部内に配設されかつ集塵室３に吸込負圧を作用させる電動送風機５、一端が掃除機本体２に着脱可能に接続されかつ集塵室３に連通する集塵ホース６が設けられる。
【００１２】
さらに、集塵ホース６の他端部には、手元操作管７と、この手元操作管７に着脱自在に接続される第１の延長管８と、この第１の延長管８に着脱自在（分割可能）に接続される第２の延長管９と、この第２の延長管９に着脱自在に接続される連結管１０からなるすなわち集塵ホース６に接続される手元操作管７から連結管１０までの本発明の吸込管路１１が接続し、連結管１０の先端部に接続される吸込口体１２が接続される。
【００１３】
集塵ユニット４は紙パックフィルタ等の集塵袋あるいは、高速分離方式が採用するものでは、塵埃分離部と、この塵埃分離部に着脱自在に装着された集塵部と、塵埃分離部と一体となっているフィルタ部とから構成される。
【００１４】
また、手元操作管７には操作パネル７ａが設けられる。
【００１５】
この操作パネル７ａには、いずれも図示しない「弱／中」吸込風量切り替え用のスイッチと、「強」吸込風量用のスイッチと、「切り」用のスイッチ等が設けられている。
【００１６】
図２〜図５に示すように、吸込管路１１の一部をなす集塵室側管すなわち第１の延長管８と、吸込管路１１の一部をなす吸込口体側管すなわち第２の延長管９は、第１の延長管８に比べて小直径の第２の延長管９を挿入して嵌合することで、着脱自在に接続される。
【００１７】
第１の延長管８の端部には、フランジ状のブラシ台部１３が設けられ、このブラシ台部１３にはブラシ１４がリング状に植設される。
【００１８】
一方、第２の延長管９の端部近傍には、リング状のブラシ台１５が回転可能に取り付けられ、ブラシ台１５にはブラシ清掃用ブラシ１６が植設されている。
【００１９】
ブラシ清掃用ブラシ１６はブラシ１４に当接するが、両ブラシ１４、１６の当接度合（重なり度合）は、第１の延長管８の内面に設けた係止部８ａと第２の延長管９の先端９ａとの係合により、ブラシ１４に付着した糸くず等を除去するのに最適な度合に設定される。
【００２０】
ブラシ台１５の第２の延長管９への回転可能な取り付けは、第２の延長管９に設けたリング状の係合突条９ｂにブラシ台１５に設けたリング状の係合凹条１５ａを凹凸係合することで行われる。
【００２１】
次に、第１実施形態の電気掃除機の使い方について説明する。
【００２２】
通常の掃除機の使用時、例えば床や畳の上のような室内の広い場所を掃除する際には、図１に示すように、吸込管路１１の一部をなす連結管１０の先端部に接続される吸込口体１２を接続し、吸込口体１２から床面等の被掃除面に溜まった塵埃を吸い込んで、集塵ユニット４に溜めて清掃作業を行う。
【００２３】
一方、図６に示すように、階段、棚、あるいは家具間の隙間ｓ等のような狭い被掃除面ｆを掃除する際には、まず、第２の延長管９を第１の延長管８から引き抜き、第２の延長管９を引き抜くことで、第１の延長管８に設けたブラシ１４が、吸込管路１１の先端に位置する。
【００２４】
ブラシ１４を家具間の隙間ｓ等のような狭い被掃除面ｆに当て、この被掃除面ｆに溜まった塵埃を吸い込んで、集塵ユニット４に溜めて清掃作業を行う。
【００２５】
このとき、ブラシ１４は吸込口体１２に比べて横幅が狭いので、家具間の隙間ｓのような狭い被掃除面ｆの掃除を確実に行うことができる。
【００２６】
この狭い被掃除面ｆの掃除過程において、狭い被掃除面ｆに糸くず等が存在する場合には、この糸くず等が吸引され、ブラシ１４に絡み付く。
【００２７】
このため、掃除を継続すると、ブラシ１４の糸くず等を除去する必要がある。
【００２８】
そこで、図３に示すように、第２の延長管９を第１の延長管８に挿入して嵌合し、ブラシ清掃用ブラシ１６をブラシ１４に適度な当接度合で当接させ、ブラシ清掃用ブラシ１６を回転させて、ブラシ１４に付着した糸くず等を除去する。適度な当接度合で当接するブラシ清掃用ブラシ１６を回転させることで、吸引によりブラシ１４に絡み付くなどして付着した糸くず等を容易に除去することができる。
【００２９】
除去された糸くず等は、大部分はブラシ１４は落下し回収される。一部の糸くず等はブラシ清掃用ブラシ１６に付着することがあるが、第２の延長管９を第１の延長管８から外し、第２の延長管９を軽く叩くことで、ブラシ清掃用ブラシ１６に付着している糸くず等を除去することができる。
【００３０】
従って、指などでブラシ１４に付着した糸くず等を除去せず、また、電気掃除機とは別個の掃除用ブラシなども用いることも必要なく、掃除が容易かつ衛生的である。
【００３１】
本第１実施形態の掃除機によれば、吸込管路に設けるブラシの掃除を容易かつ衛生的にできる電気掃除機が実現する。
【００３２】
［第２実施形態］
また、本発明の第２実施形態に係る電気掃除機について説明する。
【００３３】
本第２実施形態は、第１実施形態がブラシ清掃用ブラシを回転可能に設けるのに対して、ブラシを回転可能に設ける。
【００３４】
例えば、図７に示すように、本第２実施形態の電気掃除機は第１実施形態と同様の構造を有し、第１の延長管８の端部には、リング状のブラシ台１３Ａが回転可能に設けられ、このブラシ台１３Ａはブラシ１４がリング状に植設される。
【００３５】
ブラシ台１３Ａの第１の延長管８への回転可能な取り付けは、第１の延長管８に設けたリング状の係合突条８Ａａに、ブラシ台１３Ａに設けたリング状の係合凹条１３Ａａを凹凸係合することで行われる。
【００３６】
一方、第２の延長管９の端部近傍には、フランジ状のブラシ台部１５Ａが回転可能に取り付けられ、ブラシ台部１５Ａにはブラシ清掃用ブラシ１６が植設される。
【００３７】
これにより、指などでブラシ１４に付着した糸くず等を除去せず、また、電気掃除機とは別個の掃除用ブラシなども用いることも必要なく、掃除が容易かつ衛生的である。
【００３８】
本第２実施形態の掃除機によれば、吸込管路に設けるブラシの掃除を容易かつ衛生的にできる電気掃除機が実現する。
【００３９】
他の構成は図３に示すブラシ当接部分と異ならないので、同一符号を付して説明は省略する。
【００４０】
［第３実施形態］
本発明の第３実施形態に係る電気掃除機について説明する。
【００４１】
本第３実施形態は、第１実施形態の両ブラシの当接部分の内側の吸込管路の通風路に連通する廃棄孔を設ける。
【００４２】
例えば、本第３実施形態の電気掃除機は第１実施形態と同様の構造を有し、両ブラシの当接部分である図８、当接部分のブラシの一部を除去して示す図９及び当接部分の断面図である図１０に示すように、第１の延長管８の端部には、リング状のブラシ台部１３が設けられ、このブラシ台部１３にはブラシ１４がリング状に植設される。
【００４３】
一方、第２の延長管９の端部近傍には、ブラシ清掃用ブラシ１６が植設されるリング状のブラシ台１５を備えた回転円筒体２１が回転可能に取り付けられる。この回転円筒体２１には円周方向に適宜のピッチで回転側廃棄孔２１ａが設けられ、第２の延長管９のブラシ当接部分に対応する位置には、適宜回転側廃棄孔２１ａと連通して大気と第２の延長管９の通風路を連通する固定側廃棄孔９ｃが設けられる。
【００４４】
回転円筒体２１の一側端部には潤滑性を有するリング状シール２２が設けられ、このリング状シール２２は第２の延長管９に設けたリング状のストッパー２３により位置決めされ、一方、回転円筒体２１の他側端部はリング状シール２４に気密的に当接し、このリング状シール２４は第１の延長管８のブラシ台部１３の内周側に設けられる。
【００４５】
従って、通常の掃除機の使用時、例えば床や畳の上のような室内の広い場所を掃除する際には、図１に示すように、吸込口体１２から床面等の被掃除面に溜まった塵埃を吸い込んで、集塵ユニット４に溜めて清掃作業を行う。このとき、図１１に示すように、第２の延長管９に設けた固定側廃棄孔９ｃは、回転円筒体２１に設けた回転側廃棄孔２１ａと不一致状態にあり、固定側廃棄孔９ｃは回転円筒体２１により閉塞され、外気が回転側廃棄孔２１ａ、固定側廃棄孔９ｃを介して、また、リング状シール２２、２４によってシールされて回転円筒体２１の両側端部から第２の延長管９の通風路に流入することがなく、掃除能力が低下することがない。
【００４６】
固定側廃棄孔９ｃを回転円筒体２１により閉塞するように回転円筒体２１を位置させるには、ブラシ台部１３とブラシ台１５にマークを付し、これらのマークを一致するようにするのがよく、また、回転円筒体２１の自由な回動を防ぐために回動防止用ストッパーを設けるようにするのがよい。
【００４７】
また、吸込口体１２及び第２の延長管９を外し、ブラシ１４を用いて家具間の隙間のような狭い被掃除面の掃除を行うが、この狭い被掃除面の掃除過程において、狭い被掃除面の糸くず等が存在する場合には、この糸くず等が吸引され、ブラシ１４に絡み付く。
【００４８】
そこで、図１０に示すように、再び第２の延長管９を第１の延長管８に挿入して取り付け、送風機５を運転して第２の延長管９の通風路内を負圧にしながら、回転円筒体２１を手で回転させて、ブラシ清掃用ブラシ１６により、ブラシ１４に絡み付くなどして付着した糸くず等を除去する。
【００４９】
同時に、回転円筒体２１の回転により、図１２に示すように、回転側廃棄孔２１ａと固定側廃棄孔９ｃが適宜連通し、ブラシ当接位置に吸引負圧が作用し、除去された糸くず等は、回転側廃棄孔２１ａ、固定側廃棄孔９ｃを介して第２の延長管９の通風路に吸引され、集塵ユニット４に達する。
【００５０】
従って、自動的に糸くず等の除去と廃棄が可能となり、指などでの除去を行わずとも、また、電気掃除機とは別個の掃除用ブラシなども用いることも必要なく、掃除が容易かつ衛生的である。
【００５１】
本第３実施形態の掃除機によれば、吸込管路に設けるブラシの掃除を容易かつ衛生的にできる電気掃除機が実現する。
【００５２】
［第４実施形態］
本発明の第４実施形態に係る電気掃除機について説明する。
【００５３】
本第４実施形態は、第２実施形態がキャニスタ型電気掃除機にブラシ清掃用ブラシを設けるのに対して、アップライト型電気掃除機にブラシ清掃用ブラシを設ける。
【００５４】
例えば、図１３に示すように、本第４実施形態のアップライト型電気掃除機１Ｃは縦型の掃除機本体２Ｃを備え、この掃除機本体２Ｃには、第１実施形態と同様に掃除機本体２Ｃに設けいずれも図示しない集塵室に集塵ユニット、この集塵ユニットの下流に設けた電動送風機が収容される。
【００５５】
また、掃除機本体２Ｃの外部下部には吸込口体１２が取り付けられ、さらに、吸込口体１２は、第１の延長管８、第１の手元操作管７Ｃａ、第２の手元操作管７Ｃｂ、集塵ホース６を介して、集塵ユニットに連通する。
【００５６】
図１４に示すように、本発明の吸込管路１１の一部をなす第１の手元操作管７Ｃａ、第２の手元操作管７Ｃｂ間には、図９に示すと同様に、第２の手元操作管７Ｃｂにはリング状のブラシ台部１３が設けられ、このブラシ台部１３にはブラシ１４がリング状に植設される。一方、第１の手元操作管７Ｃａの端部近傍には、ブラシ清掃用ブラシ１６が植設されるリング状のブラシ台１５を備えた回転円筒体２１が回転可能に取り付けられる。
【００５７】
従って、通常の掃除機の使用時、例えば床や畳の上のような室内の広い場所を掃除する際には、図１３に示す吸込口体１２を用いて清掃作業を行い、狭い被掃除面を掃除する際には、図１４に示す第２の手元操作管７Ｃｂを第１の手元操作管７Ｃａから外し、ブラシ１４を用いて清掃する。
【００５８】
糸くず等がブラシ１４に絡み付いた場合には、再び第１の手元操作管７Ｃａを第２の手元操作管７Ｃｂに挿入して連通させ、第３実施形態と同様の手順で、ブラシ１４に絡み付いた糸くず等をブラシ清掃用ブラシ１６により除去し、第２の手元操作管７Ｃｂの通風路に吸引して、廃棄する。
【００５９】
アップライト型電気掃除機においても、キャニスタ型電気掃除機と同様の効果を得ることができる。
【００６０】
本第４実施形態の掃除機によれば、吸込管路に設けるブラシの掃除を容易かつ衛生的にできる電気掃除機が実現する。
【００６１】
［第５実施形態］
また、本発明の第５実施形態に係る電気掃除機について説明する。
【００６２】
本第５実施形態は、第１実施形態がブラシ及びブラシ清掃用ブラシを吸込管路の通風路外に設けるのに対して、吸込管路の通風路に設ける。
【００６３】
例えば、図１５に示すように、本第５実施形態の電気掃除機は第１実施形態と同様の構造を有し、第１の延長管８の端部には、リング状にブラシ１４が植設され、さらに、リング状の受け部材３１が気密的に回転可能に取り付けられる。この受け部材３１にはリング状の係合凹部３１ａが設けられ、受け部材３１の回転可能な取り付けは、第１の延長管８に設けたリング状の係合突条８Ｄａに、受け部材３１に設けたリング状の係合凹条３１ｂを凹凸係合することで行われる。
【００６４】
一方、第２の延長管９の端部には、円筒形状の回転部材３２が気密的に回転可能に取り付けられ、この回転部材３２には、その略中間部にフランジ状に形成されるブラシ台３２ａが設けられ、このブラシ台３２ａにはブラシ清掃用ブラシ１６がリング状に植設され、さらに、ブラシ１４及びブラシ清掃用ブラシ１６を囲うように延びる円筒部３２ｂを備え、この円筒部３２ｂの先端部３２ｃは係合凹部３１ａに着脱可能に係合する。
【００６５】
回転部材３２の回転可能な取り付けは、第２の延長管９に設けたリング状の係合突条９ｂに、回転部材３２に設けたリング状の係合凹条３２ｄを凹凸係合することで行われる。
【００６６】
上記構造により、受け部材３１は回転可能であり、回転部材３２の回転に伴って共廻りし、吸込管路１１内の通風路に設けられるブラシ１４及びブラシ清掃用ブラシ１６のうち、ブラシ清掃用ブラシ１６は外部から回転可能となる。
【００６７】
従って、通常の掃除機の使用時、例えば床や畳の上のような室内の広い場所を掃除する際には、図１に示す吸込口体１２を用いて清掃作業を行い、狭い被掃除面を掃除する際には、図６に示すように、第２の延長管９を第１の延長管８から外し、ブラシ１４を用いて清掃する。
【００６８】
糸くず等がブラシ１４に絡み付いた場合には、再び第２の延長管９の先端部３２ｃを第１の延長管８の係合凹部３１ａに係合して連通し、電気掃除機を運転しながら回転部材３２を回転させてブラシ清掃用ブラシ１６を回転させ、ブラシ１４に絡み付いた糸くず等をブラシ清掃用ブラシ１６により除去し、通風路に吸引して、廃棄する。
【００６９】
本第５実施形態の掃除機によれば、吸込管路に設けるブラシの掃除を容易かつ衛生的にできる電気掃除機が実現する。
【００７０】
なお、上記各実施形態では、ブラシ及びブラシ清掃用ブラシをブラシ台あるいはブラシ台部にリング状に植設する例で説明したが、円弧状に植設してもよく、また、ブラシ及びブラシ清掃用ブラシを、第１の延長管と第２の延長管間あるいは、第１の手元操作管と第２の手元操作管間に設ける例で説明したが、吸込管路のいずれの位置に設けてもよい。
【図面の簡単な説明】
【００７１】
【図１】本発明の第１実施形態に係る電気掃除機の斜視図。
【図２】本発明の第１実施形態に係る電気掃除機のブラシ当接部分の斜視図。
【図３】本発明の第１実施形態に係る電気掃除機のブラシ当接部分の側面図。
【図４】本発明の第１実施形態に係る電気掃除機に用いられるブラシの斜視図。
【図５】本発明の第１実施形態に係る電気掃除機に用いられるブラシ清掃ブラシの斜視図。
【図６】本発明の第１実施形態に係る電気掃除機のブラシを用いた掃除の概念図。
【図７】本発明の第２実施形態に係る電気掃除機のブラシ当接部分の側面図。
【図８】本発明の第３実施形態に係る電気掃除機のブラシ当接部分の斜視図。
【図９】本発明の第３実施形態に係る電気掃除機のブラシの一部を除去して示すブラシ当接部分の斜視図。
【図１０】本発明の第３実施形態に係る電気掃除機のブラシ当接部分の縦断面図。
【図１１】本発明の第３実施形態に係る電気掃除機の廃棄孔部分の断面図（閉塞状態）。
【図１２】本発明の第３実施形態に係る電気掃除機の廃棄孔部分の断面図（開放状態）。
【図１３】本発明の第４実施形態に係る電気掃除機の斜視図。
【図１４】本発明の第４実施形態に係る電気掃除機のブラシ当接部分の斜視図。
【図１５】本発明の第５実施形態に係る電気掃除機のブラシ当接部分の縦断面図。
【符号の説明】
【００７２】
１  電気掃除機
２  掃除機本体
３  集塵室
４  集塵ユニット
５  電動送風機
６  集塵ホース
７  手元操作管
７ａ  操作パネル
８  第１の延長管
９  第２の延長管
１０  連結管
１１  吸込管路
１２  吸込口体
１３  ブラシ台部
１４  ブラシ
１５  ブラシ台
１６  ブラシ清掃用ブラシ
【図１】
2009189620.tif 000003
【図２】
2009189620.tif 000004
【図３】
2009189620.tif 000005
【図４】
2009189620.tif 000006
【図５】
2009189620.tif 000007
【図６】
2009189620.tif 000008
【図７】
2009189620.tif 000009
【図８】
2009189620.tif 000010
【図９】
2009189620.tif 000011
【図１０】
2009189620.tif 000012
【図１１】
2009189620.tif 000013
【図１２】
2009189620.tif 000014
【図１３】
2009189620.tif 000015
【図１４】
2009189620.tif 000016
【図１５】
2009189620.tif 000017